(57)【要約】      （修正有）【課題】軟質性紐状体の端部どうしを脱着可能に係合させるクラスプ部を軟質性紐状体に対して確実に係合させ、かつ、軟質性紐状体の長手方向に沿った応力が加わっても軟質性紐状体から容易に脱落することを防止する。【解決手段】長手方向に延びる軟質性紐状体１０と、前記軟質性紐状体の内部に収容される磁石とを有する磁気治療具であって、前記軟質性紐状体の一端側に形成された第１クラスプ部３０Ａおよび他端側に形成された第２クラスプ部と、を有し、前記第１クラスプ部および前記第２クラスプ部には、前記軟質性紐状体の端部に接する紐状体端部保持部材３１が形成され、前記紐状体端部保持部材は、前記軟質性紐状体の外部から内部に向けて侵入し、前記軟質性紐状体に囲まれて密着する侵入部３１Ｂを備えたことを特徴とする。【選択図】図５
2019050924.tif 000002
【特許請求の範囲】
【請求項１】
長手方向に延びる軟質性紐状体と、前記軟質性紐状体の内部に収容される磁石とを有する磁気治療具であって、
前記軟質性紐状体の一端側に形成された第１クラスプ部および他端側に形成された第２クラスプ部と、を有し、
前記第１クラスプ部および前記第２クラスプ部のうち、少なくともいずれか一方には、前記第１クラスプ部と前記第２クラスプ部とを脱着自在に係着させる係着手段が形成され、
前記第１クラスプ部および前記第２クラスプ部には、前記軟質性紐状体の端部に接する紐状体端部保持部材が形成され、
前記紐状体端部保持部材は、前記軟質性紐状体の外部から内部に向けて侵入し、前記軟質性紐状体に囲まれて密着する侵入部を備えたことを特徴とする磁気治療具。
【請求項２】
前記侵入部は、外形が略矩形の板状体であり、
前記紐状体端部保持部材には、前記軟質性紐状体の外面に接する筒状体を有し、
前記侵入部は、前記筒状体に連なるように形成され、
前記侵入部は、前記軟質性紐状体の長手方向に沿った長さが、前記軟質性紐状体の外面から内部に向かう長さよりも長くなるように形成されていることを特徴とする請求項１記載の磁気治療具。
【請求項３】
前記第１クラスプ部および前記第２クラスプ部は、前記筒状体の外面を覆う外装体を更に備えていることを特徴とする請求項２記載の磁気治療具。
【請求項４】
前記係着手段は永久磁石であり、前記外装体は強磁性材料から構成され、かつ前記筒状体および前記永久磁石を一体に覆うことを特徴とする請求項２または３記載の磁気治療具。
【請求項５】
前記侵入部は、前記軟質性紐状体の直径方向に沿って貫通する貫通孔を備えることを特徴とする請求項１ないし４いずれか一項記載の磁気治療具。
【請求項６】
請求項１ないし５いずれか一項記載の磁気治療具の製造方法であって、
前記軟質性紐状体を成形するための金型内に前記紐状体端部保持部材を予め配置してから、前記軟質性紐状体を構成する樹脂材料を前記金型内に導入して、前記紐状体端部保持部材がインサート成形された前記軟質性紐状体を成形するインサート成形工程を備えたことを特徴とする磁気治療具の製造方法。
【請求項７】
前記インサート成形工程の前工程であって、前記筒状体の内側面または前記侵入部の表面に、前記紐状体端部保持部材に対する前記軟質性紐状体の長手方向に沿った引き抜き抵抗を増加させるプライマー処理を行うプライマー処理工程を備えることを特徴とする請求項６記載の磁気治療具の製造方法。
【発明の詳細な説明】
【技術分野】
【０００１】
本発明は、首や腕などに掛けて使用され、磁気の作用により、血行促進などの効果が期待される磁気治療具およびその製造方法に関する。
【背景技術】
【０００２】
磁石を有するネックレスやブレスレットを身に着けると、磁気の作用により、血行促進などの効果が得られることが知られている。例えば、柔軟で折り曲げ可能な軟質性紐状体と、その軟質性紐状体の内部に収容された磁石と、その軟質性紐状体の両端に備えられた連結具とを有する磁気治療具が知られている。
【０００３】
特許文献１には、シリコーンゴムに複数の磁石を収容した可撓性を有する長尺な磁性部（軟質性紐状体）を備えた磁気治療具が開示されている。この特許文献１には、磁気治療具の製造方法として、磁性部に対応する上型と下型とを備えた金型を用い、金型の磁性部に対応する部分にシリコーンゴムをセットし、そのセットしたシリコーンゴムに磁性体を配置した後、プレス成型する方法が開示されている。
【０００４】
軟質性紐状体としてシリコーンゴムなどを用いた一般的なネックレスやブレスレットでは、首や腕などに容易に着脱可能にするために、軟質性紐状体の両端部分に、容易に着脱可能な係止金具（クラスプ部）が設けられている。こうした係止金具は、例えば筒状の金属部材の内部に軟質性紐状体を通してから、この金属部材をかしめることによって、軟質性紐状体の端部に係止金具を係着させている。
【０００５】
また、例えば筒状の金属部材からなる係止金具の内部に軟質性紐状体を通し、係止金具と軟質性紐状体に対してピンなどを貫通させることによって、軟質性紐状体の端部に係止金具を係着させる構成も知られている。
【先行技術文献】
【特許文献】
【０００６】
【特許文献１】特開２００９−１８０６０号公報
【発明の概要】
【発明が解決しようとする課題】
【０００７】
しかしながら、軟質性紐状体の両端部に係止金具を取り付ける際に、軟質性紐状体を通した筒状の係止金具をかしめる構成では、使用中に不用意に軟質性紐状体を引き延ばしてしまうなどによって直径が減じ、軟質性紐状体が係止金具から抜け出てしまう虞があった。
【０００８】
また、係止金具と軟質性紐状体に対してピンなどを貫通させる構成では、使用中に不用意に軟質性紐状体を引き延ばしてしまうなどによって、ピンの貫通部分から軟質性紐状体が裂開してしまう虞があった。
【０００９】
本発明は、前述した状況に鑑みてなされたものであって、軟質性紐状体の端部どうしを脱着可能に係合させるクラスプ部を軟質性紐状体に対して確実に係合させ、かつ、軟質性紐状体の長手方向に沿った応力が加わっても軟質性紐状体から容易に脱落することがないクラスプ部を備えた磁気治療具およびその製造方法を提供する。
【課題を解決するための手段】
【００１０】
上記課題を解決するために、本発明の磁気治療具は、長手方向に延びる軟質性紐状体と、前記軟質性紐状体の内部に収容される磁石とを有する磁気治療具であって、前記軟質性紐状体の一端側に形成された第１クラスプ部および他端側に形成された第２クラスプ部と、を有し、前記第１クラスプ部および前記第２クラスプ部のうち、少なくともいずれか一方には、前記第１クラスプ部と前記第２クラスプ部とを脱着自在に係着させる係着手段が形成され、前記第１クラスプ部および前記第２クラスプ部には、前記軟質性紐状体の端部に接する紐状体端部保持部材が形成され、前記紐状体端部保持部材は、前記軟質性紐状体の外部から内部に向けて侵入し、前記軟質性紐状体に囲まれて密着する侵入部を備えたことを特徴とする。
【００１１】
本発明の磁気治療具によれば、磁気治療具の脱着の際に、誤って軟質性紐状体を引き延ばしてしまっても、軟質性紐状体の一端側および他端側をそれぞれ保持する紐状体端部保持部材の侵入部が軟質性紐状体の内部に入り込んで密着しているため、引き延ばしによる軟質性紐状体の直径の減少によって、第１クラスプ部や第２クラスプ部から軟質性紐状体が離脱することをに防止できる。
【００１２】
また、本発明では、前記侵入部は、外形が略矩形の板状体であり、前記紐状端部保持部材には、前記軟質性紐状体の外面に接する筒状体を有し、前記侵入部は、前記筒状体に連なるように形成され、前記侵入部は、前記軟質性紐状体の長手方向に沿った長さが、前記軟質性紐状体の外面から内部に向かう長さよりも長くなるように形成されていることを特徴とする。
【００１３】
また、本発明では、前記第１クラスプ部および前記第２クラスプ部は、前記筒状体の外面を覆う外装体を更に備えていることが好ましい。
【００１４】
また、本発明では、前記係着手段は永久磁石であり、前記外装体は強磁性材料から構成され、かつ前記筒状体および前記永久磁石を一体に覆うことが好ましい。
【００１５】
また、本発明では、前記侵入部は、前記軟質性紐状体の直径方向に沿って貫通する貫通孔を備えることが好ましい。
【００１６】
本発明の磁気治療具の製造方法は、前記各項記載の磁気治療具の製造方法であって、前記軟質性紐状体を成形するための金型内に前記紐状体端部保持部材を予め配置してから、前記軟質性紐状体を構成する樹脂材料を前記金型内に導入して、前記紐状体端部保持部材がインサート成形された前記軟質性紐状体を成形するインサート成形工程を備えたことを特徴とする。
【００１７】
また、本発明では、前記インサート成形工程の前工程であって、前記筒状体の内側面または前記侵入部の表面に、前記紐状体端部保持部材に対する前記軟質性紐状体の長手方向に沿った引き抜き抵抗を増加させるプライマー処理を行うプライマー処理工程を備えることが好ましい。
【発明の効果】
【００１８】
本発明によれば、軟質性紐状体の端部どうしを脱着可能に係合させるクラスプ部を軟質性紐状体に対して確実に係合させ、かつ、軟質性紐状体の長手方向に沿った応力が加わっても軟質性紐状体から容易に脱落することがないクラスプ部を備えた磁気治療具およびその製造方法を提供することが可能になる。
【図面の簡単な説明】
【００１９】
【図１】本発明の第１実施形態にかかる磁気治療具（係着状態）を示す外観斜視図である。
【図２】本発明の第１実施形態にかかる磁気治療具（開放状態）を示す正面図である。
【図３】図２の要部拡大断面図である。
【図４】図３のＭ−Ｍ’線における断面図である。
【図５】軟質性紐状体の一端側および他端側にそれぞれ形成されたクラスプ部を示す断面図である。
【図６】クラスプ部を構成する紐状体端部保持部材の長手方向に沿った拡大断面図である。
【図７】本発明の第２実施形態にかかる磁気治療具のクラスプ部を構成する紐状体端部保持部材の長手方向に沿った拡大断面図である。
【図８】本発明の第３実施形態にかかる磁気治療具のクラスプ部を構成する紐状体端部保持部材の長手方向に沿った拡大断面図である。
【図９】本発明の第４実施形態にかかる磁気治療具のクラスプ部を示す要部拡大断面図である。
【図１０】発明の第５実施形態にかかる磁気治療具のクラスプ部を示す要部拡大断面図である。
【図１１】本発明の一実施形態の磁気治療具の製造方法の要部を示す断面図である。
【図１２】発明の第６実施形態にかかる磁気治療具のクラスプ部を示す要部拡大断面図である。
【発明を実施するための形態】
【００２０】
以下、図面を参照して、本発明の一実施形態の磁気治療具およびその製造方法について説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００２１】
「磁気治療具、第１実施形態」
図１は、本発明の第１実施形態にかかる磁気治療具（係着状態）を示す外観斜視図である。図２は、本発明の第１実施形態にかかる磁気治療具（開放状態）を示す正面図である。図３は、図２の要部拡大断面図である。また。図４は、図３のＭ−Ｍ’線における断面図である。
本実施形態の磁気治療具１は、軟質性紐状体１０と、軟質性紐状体１０の内部に収容されている異方性磁石２０ａ、２０ｂとを有する。磁気治療具１は、軟質性紐状体１０の一端側および他端側にそれぞれ形成され、前記軟質性紐状体の端部どうしを脱着可能に接続するクラスプ部３０を有している。なお、本実施形態においては軟質性紐状体１０の内部に磁石の一例として異方性磁石を設けた場合について述べたが、磁石としては等方性磁石等、他の磁石であっても良い。
【００２２】
クラスプ部３０は、軟質性紐状体１０の一端側に形成された第１クラスプ部３０Ａと、軟質性紐状体１０の他端側に形成された第２クラスプ部３０Ｂと、から構成されている。これら第１クラスプ部３０Ａおよび第２クラスプ部３０Ｂを互いに係着することによって、図１に示すようにリングを形成する。リングを形成している磁気治療具１は、例えば、磁気ネックレス、磁気ブレスレットとして使用される。
【００２３】
軟質性紐状体１０の断面形状は本実施形態では円形であるが、折り曲げ可能であれば、その断面形状に、特に制限はなく、例えば、楕円形、多角形としてもよい。軟質性紐状体１０の直径は、特に限定されないが、例えば、０．３ｃｍ以上２ｃｍ以下の範囲である。また、軟質性紐状体１０の長さ方向の長さは、特に限定されないが、例えば、ネックレスとして使用されるものは、３０ｃｍ以上７０ｃｍ以下の範囲であり、ブレスレットとして使用されるものは、１０ｃｍ以上３０ｃｍ以下の範囲である。
【００２４】
本実施形態の軟質性紐状体１０は、長手方向に延びた第１紐状部材１１と第２紐状部材１５とを接合した接合体である。第１紐状部材１１および第２紐状部材１５は、軟質樹脂から形成されていることが好ましい。第１紐状部材１１および第２紐状部材１５を構成する軟質樹脂は、例えば、−６０℃以上１５０℃以下の温度範囲で折り曲げ可能な弾性体であることが好ましい。
【００２５】
第１紐状部材１１および第２紐状部材１５を構成する軟質樹脂としては、ゴムおよびエラストマーを用いることができる。ゴムの例としては、シリコーンゴム、ウレタンゴム、ブタジエンゴム、イソプレンゴム、アクリルゴム、クロロプレンゴム、フッ素ゴムが挙げられる。エラストマーの例としては、スチレン系エラストマー、オレフィン系エラストマー、塩化ビニル系エラストマー、ウレタン系エラストマー、アミド系エラストマーが挙げられる。第１紐状部材１１および第２紐状部材１５は、それぞれ異なる軟質樹脂から形成されていてもよいが、接合強度の観点から同一種の軟質樹脂から形成されていることが好ましい。本実施形態では、第１紐状部材１１と第２紐状部材１５ともにシリコーンゴムを用いている。
【００２６】
なお、軟質性紐状体１０は、一端側と他端側を除いた領域、即ち、後述する異方性磁石２０ａ、２０ｂが挿入される領域は第１紐状部材１１と第２紐状部材１５とを接合しているが、一端側と他端側は、第１紐状部材１１だけで形成されている。
【００２７】
第１紐状部材１１は、第２紐状部材と接合する面に凹状に形成された凹状磁石支持部１２を有し、異方性磁石２０ａ、２０ｂの少なくとも一部が凹状磁石支持部１２に挿入されている。本実施形態では、異方性磁石２０ａ、２０ｂの５０体積％以上の部分が、凹状磁石支持部に挿入されている。
【００２８】
本実施形態において、第１紐状部材１１は、長手方向に沿った中央部に、長手方向に沿った両側部よりも盛り上がった凸部１３を有し、凸部１３に凹状磁石支持部１２が設けられている。本実施形態では、凸部１３の断面形状は、上底が下低よりも短い台形状とされている。
【００２９】
図５は、軟質性紐状体の一端側および他端側にそれぞれ形成されたクラスプ部を示す断面図である。また、図６（ａ）は、クラスプ部を構成する紐状体端部保持部材の長手方向に沿った拡大断面図、図６（ｂ）は、図６（ａ）のＡ−Ａ’線に沿った拡大断面図である。
なお、本実施形態においては、クラスプ部３０を構成する第１クラスプ部３０Ａおよび第２クラスプ部３０Ｂは、互いに同一の構成である。従って、以下の説明では、軟質性紐状体１０の一端側に形成された第１クラスプ部３０Ａを説明するが、軟質性紐状体１０の他端側に形成された第２クラスプ部３０Ｂも第１クラスプ部３０Ａと同一の構成である。
【００３０】
第１クラスプ部３０Ａは、紐状体端部保持部材３１と、永久磁石（係着手段）３２と、外装体３３と、を有している。
紐状体端部保持部材３１は、内面が軟質性紐状体１０の断面形状、例えば断面円形の空洞を成す筒状体３１Ａと、この筒状体３１Ａの一部を舌片状に切り欠いて断面円形の空洞内に向けて折り曲げた板状体（侵入部）３１Ｂとを有する。本実施形態では、板状体３１Ｂは、筒状体３１Ａの２か所からそれぞれ屈曲するように２つ形成されている。２つの板状体３１Ｂは、例えば、筒状体３１Ａの中心に対して対称に形成されている。
【００３１】
これら筒状体３１Ａと板状体３１Ｂとが一体に形成された紐状体端部保持部材３１は、例えば、全体が金属板（アルミニウム板、鋼板、ＳＵＳ板など）や、硬質耐熱性樹脂などから形成されている。
【００３２】
筒状体３１Ａは、断面円形の空洞内に軟質性紐状体１０の一端側１０ａが挿入された状態になっている。そして、筒状体３１Ａの内面３１Ａｆは、軟質性紐状体１０の外面（外周面）１０ｆに密着している。前述するように、板状体３１Ｂは筒状体３１Ａの一部を切り欠いて形成されているが、その切欠きによって形成された筒状体３１Ａの孔部分にも軟質性紐状体１０の一部が入り込んでおり、これにより軟質性紐状体１０と筒状体３１Ａとの接合がより強固になされている。
【００３３】
板状体３１Ｂは、筒状体３１Ａに連なり、軟質性紐状体１０の外面（外周面）１０ｆから、軟質性紐状体１０の内部（軟質性紐状体１０の断面中心側）に向けて侵入している。
こうした板状体３１Ｂは、本実施形態では外形が略矩形の板状を成している。また板状体３１Ｂは、軟質性紐状体１０の長手方向に沿うように延在しており、軟質性紐状体１０の長手方向Ｌに沿った長さＤ１が、軟質性紐状体１０の外面１０ｆから内部に向かう長さＤ２よりも長くなるように形成されている。
【００３４】
このような構成の紐状体端部保持部材３１によって、軟質性紐状体１０の一端側１０ａには、紐状体端部保持部材３１が強固に接続される。即ち、軟質性紐状体１０の外面１０ｆに対して密着する筒状体３１Ａと、軟質性紐状体１０の内部に入り込む板状体３１Ｂによって、軟質性紐状体１０を引き延ばすなどの取り扱いをしても、軟質性紐状体１０の一端側１０ａが紐状体端部保持部材３１から抜け出ることを防止する。
【００３５】
加えて、軟質性紐状体にピンなどを貫通させて係止する場合と比較して、ピンの差し直し等による傷の発生が無いため軟質性紐状体１０を引き延ばすなどの取り扱いをしても、軟質性紐状体１０が裂開してしまうことを防止できる。
【００３６】
永久磁石（係着手段）３２は、軟質性紐状体１０の端面に隣接して配置され、例えば円筒形を成している。そして、第１クラスプ部３０Ａの永久磁石（係着手段）３２と、第２クラスプ部３０Ｂ（図１、図２参照）の永久磁石（係着手段）３２とは、それぞれ軟質性紐状体１０の端面に対向する面の極性が互いに逆になるように配置される。
【００３７】
このような永久磁石（係着手段）３２によって、第１クラスプ部３０Ａと第２クラスプ部３０Ｂ（図１、図２参照）とを自在に接続および離間させることを可能にする。即ち、第１クラスプ部３０Ａと第２クラスプ部３０Ｂとを近接させることにより、第１クラスプ部３０Ａの永久磁石３２と、第２クラスプ部３０Ｂの永久磁石３２とが磁力によって引きつけられ、軟質性紐状体１０を図１に示すリング状にすることができる。また、第１クラスプ部３０Ａと第２クラスプ部３０Ｂとを磁力に抗して引き離すことによって、軟質性紐状体１０を図２に示す一連の直線状にすることができる。
【００３８】
このように、軟質性紐状体１０の一端側と他端側との係着手段として永久磁石（係着手段）３２を用いることによって、軟質性紐状体１０の一端側と他端側とを容易に接続および離間させることができる。例えば、ネックレス状の磁気治療具１に適用した場合、人体の首に対して容易に装着、および離脱させることができる。
【００３９】
外装体３３は、紐状体端部保持部材３１を成す筒状体３１Ａの外面３１Ａｔと、永久磁石（係着手段）３２とを覆い、紐状体端部保持部材３１および永久磁石（係着手段）３２を一体にする。外装体３３は、例えば有底円筒形を成し、紐状体端部保持部材３１の端部近傍で周縁が内側に折り曲げられたカシメ部３３ａが形成されている。
【００４０】
外装体３３は、内部に収容された永久磁石（係着手段）３２の磁力を外部に出すために、強磁性材料から構成されている。例えば、外装体３３は、鋼板などを用いて形成することが好ましいがＳＵＳ板やアルミ板を用いることもできる。
【００４１】
以上のような構成の本発明の第１実施形態の磁気治療具１によれば、磁気治療具１の脱着の際に、誤って軟質性紐状体１０を引き延ばしてしまっても、軟質性紐状体１０の一端側および他端側をそれぞれ保持する紐状体端部保持部材３１の板状体３１Ｂが軟質性紐状体１０の内部に入り込んでいるため、引き延ばしによる軟質性紐状体１０の直径の減少によっても、第１クラスプ部３０Ａや第２クラスプ部３０Ｂから軟質性紐状体１０が離脱することを確実に防止できる。
【００４２】
また、軟質性紐状体にピンなどを貫通させて係止する場合と比較して、ピンの差し直し等による傷の発生が無いため軟質性紐状体１０を引き延ばすなどの取り扱いをしても、第１クラスプ部３０Ａや第２クラスプ部３０Ｂにおいて軟質性紐状体１０が裂開してしまうことを防止することができる。
【００４３】
なお、上述した第１実施形態では、紐状体端部保持部材３１を成す板状体３１Ｂの先端が、軟質性紐状体１０の断面中心に向けて延びるように折り曲げられているが、板状体３１Ｂは、軟質性紐状体１０の外面１０ｆから内部に入り込む形状であれば、必ずしも軟質性紐状体１０の断面中心に向けて延びていなくてもよい。
【００４４】
「磁気治療具、第２実施形態」
図７（ａ）は、本発明の第２実施形態にかかる磁気治療具のクラスプ部を構成する紐状体端部保持部材の長手方向に沿った拡大断面図、図７（ｂ）は、図７（ａ）のＢ−Ｂ’線に沿った拡大断面図である。
図７に示す第２実施形態では、磁気治療具を構成する軟質性紐状体の一端側および他端側の第１クラスプ部や第２クラスプ部を構成する紐状体端部保持部材４１は、例えば断面円形の空洞を成す筒状体４１Ａと、この筒状体４１Ａの一部を舌片状に切り欠いて断面円形の空洞内に向けて折り曲げた、略長方形の板状体４１Ｂとを有する。
【００４５】
本実施形態では、板状体４１Ｂに、軟質性紐状体１０の直径方向に沿って貫通する複数の貫通孔４２が形成されている。貫通孔４２は、例えば断面円形を成し、板状体４１Ｂの長手方向に沿った直線上に、それぞれ３か所形成されている。
【００４６】
このような貫通孔４２を形成することによって、例えば、第１実施形態の紐状体端部保持部材３１（図６参照）と比較して、軟質性紐状体に対する紐状体端部保持部材４１の接合強度をより一層高めることができる。即ち、軟質性紐状体が長手方向に引っ張られて直径が減少しても、板状体４１Ｂに形成された、長手方向に直角に延びる貫通孔４２に軟質性紐状体を構成するシリコーンゴムが入り込むことにより、紐状体端部保持部材４１から軟質性紐状体が抜け出ることをより一層確実に防止することが可能になる。
【００４７】
「磁気治療具、第３実施形態」
図８（ａ）は、本発明の第３実施形態にかかる磁気治療具のクラスプ部を構成する紐状体端部保持部材の長手方向に沿った拡大断面図、図８（ｂ）は、図８（ａ）のＣ−Ｃ’線に沿った拡大断面図である。
図８に示す第３実施形態では、磁気治療具を構成する軟質性紐状体の一端側および他端側の第１クラスプ部や第２クラスプ部を構成する紐状体端部保持部材５１は、例えば断面円形の空洞を成す筒状体５１Ａと、この筒状体５１Ａの一部を舌片状に切り欠いて断面円形の空洞内に向けて折り曲げた、略長方形の板状体５１Ｂとを有する。
【００４８】
本実施形態では、板状体５１Ｂは、筒状体５１Ａの１か所から屈曲するように１つだけ形成されている。板状体５１Ｂを１つだけ形成することによって、板状体３１Ｂを２か所に形成した第１実施形態の紐状体端部保持部材３１（図６参照）と比較して、紐状体端部保持部材５１の製造が容易になり、磁気治療具の製造コストを低減することができる。
【００４９】
「磁気治療具、第４実施形態」
図９は、本発明の第４実施形態にかかる磁気治療具のクラスプ部を示す要部拡大断面図である。
なお、第１実施形態と同様の構成には同一の番号を付し、重複する説明を省略する。
図９に示す第４実施形態では、磁気治療具の軟質性紐状体１０の一端側および他端側にそれぞれ形成されるクラスプ部６０のうち、軟質性紐状体１０の一端側に形成された第１クラスプ部６０Ａにだけ永久磁石（係着手段）３２を形成し、軟質性紐状体１０の他端側に形成された第２クラスプ部６０Ｂには永久磁石（係着手段）を特に形成しない。このため、第２クラスプ部６０Ｂは、軟質性紐状体１０の他端側を係止する紐状体端部保持部材３１と、これを覆う外装体６３からなる。そして、第２クラスプ部６０Ｂの外装体６３は、第１クラスプ部６０Ａの永久磁石（係着手段）３２が吸着可能な強磁性体材料、例えば鋼板によって形成されている。第４実施形態のように、第１クラスプ部６０Ａにだけ永久磁石（係着手段）３２を形成することで、磁気治療具の製造コストを低減することができる。
【００５０】
「磁気治療具、第５実施形態」
図１０は、本発明の第５実施形態にかかる磁気治療具のクラスプ部を示す要部拡大断面図である。
なお、第１実施形態と同様の構成には同一の番号を付し、重複する説明を省略する。
図１０に示す第５実施形態では、磁気治療具の軟質性紐状体１０の一端側および他端側にそれぞれ形成されるクラスプ部７０に、係着手段として丸鐶を形成したものである。
【００５１】
クラスプ部７０のうち、軟質性紐状体１０の一端側に形成された第１クラスプ部７０Ａは、軟質性紐状体１０の一端側を係止する紐状体端部保持部材３１と、この紐状体端部保持部材３１を覆う外装体７３と、この外装体７３に固着された切り欠きの無い丸鐶部材（係着手段）７４とから構成されている。
【００５２】
また、軟質性紐状体１０の他端側に形成された第２クラスプ部７０Ｂは、軟質性紐状体１０の他端側を係止する紐状体端部保持部材３１と、この紐状体端部保持部材３１を覆う外装体７３と、この外装体７３に固着された、開閉式の丸鐶部材（係着手段）７５とから構成されている。丸鐶部材（係着手段）７５は、外周面から突出するレバー７５ａを操作することによって、切欠部分が開閉される。
【００５３】
そして、第２クラスプ部７０Ｂの丸鐶部材（係着手段）７５のレバー７５ａを操作して切欠部分を開いて、第１クラスプ部７０Ａの切り欠きの無い丸鐶部材（係着手段）７４に通してから切欠部分を閉じることによって、第５実施形態にかかる磁気治療具をリング状にすることができる。
【００５４】
「磁気治療具、第６実施形態」
図１２（ａ）は、本発明の第６実施形態にかかる磁気治療具のクラスプ部を構成する紐状体端部保持部材の長手方向に沿った拡大断面図、図１２（ｂ）は、図１２（ａ）のＤ−Ｄ’線に沿った拡大断面図である。
図１２に示す第６実施形態では、磁気治療具を構成する軟質性紐状体１０の一端側の第１クラスプ部８０Ａの紐状体端部保持部材８１は、軟質性紐状体１０の一端側から突出する球状係合体（係着手段）８５と、この球状係合体８５に連なり一体に形成され、軟質性紐状体１０の内部に向けて侵入して軟質性紐状体１０に囲まれて密着する侵入部８２とを備えている。侵入部８２には、軟質性紐状体１０の直径方向に沿って貫通する貫通孔８４が形成され、この貫通孔８４に軟質性紐状体を構成するシリコーンゴムが入り込むことにより、紐状体端部保持部材１０から軟質性紐状体が抜け出ることを防止する。
【００５５】
軟質性紐状体１０の他端側の第２クラスプ部８０Ｂの紐状体端部保持部材８１は、軟質性紐状体１０の他端側に形成された係合体受入部（係着手段）８６と、この係合体受入部８６に連なり一体に形成され、軟質性紐状体１０の内部に向けて侵入して軟質性紐状体１０に囲まれて密着する侵入部８２とを備えている。この侵入部８２にも同様に貫通孔８４が形成され、軟質性紐状体１０を構成するシリコーンゴムが入り込んでいる。
【００５６】
係合体受入部８６は、例えば、先端から長手方向に沿って凹み、内部に弾性のあるリング（球状係合体係止部材）８７が設けられている。こうした係合体受入部８６は、係合時において、球状係合体８５が係合体受入部８６の弾性のあるリング８７を押し広げて嵌まり込むことによって、第１クラスプ部８０Ａと第２クラスプ部８０Ｂとが係合される。なお、弾性のあるリング８７は、例えばシリコーンゴム、フッ素ゴムによって形成されている。なお、弾性のあるリング８７に代えて、例えば、バネによって係合体受入部８６の内面に対して突出および退避が可能な、係止片を設けた構成であってもよい。
【００５７】
「磁気治療具の製造方法」
次に、本発明の磁気治療具の製造方法の要部について説明する。
図１１は、本発明の一実施形態の磁気治療具の製造方法の要部を示す断面図である。
本発明の磁気治療具の製造方法によって、図１、図２に示す第１実施形態の磁気治療具１を製造する際に、軟質性紐状体１０の一端側および他端側の成形は以下のように行う。まず、軟質性紐状体１０を成形する金型１００のうち、下金型１０２の両端に、インサート成形のインサート部材となる紐状体端部保持部材３１と軟質性紐状体１０の構成材料（樹脂材料）、例えば未硬化のシリコーンゴムＱを配置する。その後、上金型１０１でプレスして熱を加えることにより樹脂を加硫固化させる。（インサート成形工程）。
【００５８】
これにより、形成される軟質性紐状体１０の長手方向に沿って紐状体端部保持部材３１の内部に未硬化のシリコーンゴムＱが入り込み（図１１（ｂ）のゴム侵入方向を参照）、筒状体３１Ａの内部を満たすとともに、板状体５１Ｂを覆うようにシリコーンゴムが成形される。この時、板状体５１Ｂは、軟質性紐状体１０の長手方向に沿って広がるように配置されているので、筒状体３１Ａの奥まで確実に未硬化のシリコーンゴムＱを到達させ、隙間なく紐状体端部保持部材３１を埋める軟質性紐状体１０を形成することができる。またインサート成形により紐状体端部保持部材３１と軟質性紐状体１０とを一体化したことにより、従来のように紐状体に後からピンを刺したり、かしめたりする方法に比べて密着性をより強固にすることができる。
【００５９】
なお、こうしたインサート成形工程の前工程として、紐状体端部保持部材３１の筒状体３１Ａの内面３１Ａｆや板状体３１Ｂ（侵入部）表面に、プライマー処理を行うことも好ましい（プライマー処理工程）。プライマー処理工程としては、例えば、紐状体端部保持部材３１を構成する金属と、軟質性紐状体１０を構成するシリコーンゴムとの密着性を高めるプライマー材を筒状体３１Ａの内面３１Ａｆや板状体３１Ｂ（侵入部）表面に塗布し、プライマー層を形成することで実現できる。
【００６０】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６１】
１…磁気治療具
１０…軟質性紐状体
２０ａ、２０ｂ…異方性磁石（磁石）
３０…クラスプ部
３０Ａ…第１クラスプ部
３０Ｂ…第２クラスプ部
３１…紐状体端部保持部材
３１Ａ…筒状体
３１Ｂ…板状体（侵入部）
３２…永久磁石（係着手段）
３３…外装体
【図１】
2019050924.tif 000003
【図２】
2019050924.tif 000004
【図３】
2019050924.tif 000005
【図４】
2019050924.tif 000006
【図５】
2019050924.tif 000007
【図６】
2019050924.tif 000008
【図７】
2019050924.tif 000009
【図８】
2019050924.tif 000010
【図９】
2019050924.tif 000011
【図１０】
2019050924.tif 000012
【図１１】
2019050924.tif 000013
【図１２】
2019050924.tif 000014